(57)【要約】【課題】ユーザの利便性を向上させるとともに、有効なノイズ対策を施す。【解決手段】本体部は、用紙に対して処理を行う画像形成部等の装置を収容する筺体１ａと、画像形成部１５等の装置の制御を行うための主制御基板と、を備えている。そして、操作ユニット１３は、本体部とは別体であって、電気部品が搭載された操作制御部３０１あるいは液晶パネル３０３等のハードウェアモジュールを有して主制御基板と通信可能に接続されるとともに、筺体１ａに対して着脱可能に設けられる。そして、操作ユニット１３は、筺体１ａに対する設置位置が変更可能に構成されている。そして、筺体１ａ及び操作ユニット１３は、それぞれ導電体を有するとともに、筺体１ａの導電体（筺体本体部１ｂ）が接地される。そして、筺体本体部１ｂと操作ユニット１３の導電体は、操作ユニット１３が筺体１ａに対して設置されたときに導通される。【選択図】図５
2011175153.tif 000002
【特許請求の範囲】
【請求項１】
用紙に画像を形成する画像形成装置において、
前記用紙に対して処理行うための装置を収容する筺体と、前記筺体に収容された装置の制御を行うための制御回路と、を有する本体部と、
前記本体部とは別体であって、電気部品が搭載されたハードウェアモジュールを有して前記制御回路と通信可能に接続されるとともに、前記筺体に対して着脱可能に設けられる周辺装置と、
を備え、
前記周辺装置は、前記筺体に対する設置位置が変更可能であって、
前記筺体及び前記周辺装置は、それぞれ導電体を有するとともに、前記筺体の導電体が接地され、
前記周辺装置が前記筺体に対して設置されたとき、前記筺体の導電体と前記周辺装置の導電体とが導通されるようにしたことを特徴とする画像形成装置。
【請求項２】
前記筺体は、前記周辺装置を設置するための複数の設置部を有し、
前記周辺装置の導電体は、前記周辺装置が前記複数の設置部の何れかに対して設置されたときに、前記筺体の導電体と導通されるようにしたことを特徴とする請求項１に記載の画像形成装置。
【請求項３】
前記周辺装置を前記設置部に対して位置決めするための位置決め機構を備えたことを特徴とする請求項２に記載の画像形成装置。
【請求項４】
前記周辺装置を設置した位置にて前記筺体に対して固定するための固定機構を備えたことを特徴とする請求項１〜３の何れか一項に記載の画像形成装置。
【請求項５】
前記固定機構は、導電性材料を含んで構成された締結部材及び受孔を有して構成されるとともに、前記受孔が前記筺体に設けられて、前記締結部材を前記周辺装置の一部を貫通させて前記受孔に対して締結することにより前記周辺装置を前記筺体に対して固定するものであり、
前記周辺装置の導電体は、前記周辺装置が前記筺体上に設置されて該筺体とともに前記締結部材によって締結されると、前記締結部材を経由して前記筺体の導電体と導通されることを特徴とする請求項４に記載の画像形成装置。
【請求項６】
前記ハードウェアモジュールのグランド部と前記周辺装置の導電体とを導通させたことを特徴とする請求項１〜５の何れか一項に記載の画像形成装置。
【請求項７】
用紙に画像を形成する画像形成装置に接続され、前記画像形成装置による画像形成に係る用紙に対して所定の処理を行う処理装置において、
前記用紙に対して処理行うための装置を収容するとともに、接地された導電体を有する筺体を備え、
電気部品が搭載されたハードウェアモジュールを有して前記画像形成装置と通信可能に接続され、前記筺体に対して着脱可能であるとともに、前記筺体に対する設置位置が変更可能な、導電体を有する周辺装置が前記筺体に対して設置されたとき、前記筺体の導電体と前記周辺装置の導電体とが導通されるようにしたことを特徴とする処理装置。
【請求項８】
前記筺体は、前記周辺装置を設置するための複数の設置部を有し、
前記周辺装置が前記複数の設置部の何れかに対して設置されたときに、前記周辺装置の導電体と前記筺体の導電体とが導通されるようにしたことを特徴とする請求項７に記載の処理装置。
【請求項９】
前記周辺装置を前記設置部に対して位置決めするための位置決め機構を備えたことを特徴とする請求項８に記載の処理装置。
【請求項１０】
前記周辺装置を設置した位置にて前記筺体に対して固定するための固定機構を備えたことを特徴とする請求項７〜９の何れか一項に記載の処理装置。
【請求項１１】
前記固定機構は、導電性材料を含んで構成された締結部材及び受孔を有して構成されるとともに、前記受孔が前記筺体に設けられて、前記締結部材を前記周辺装置の一部を貫通させて前記受孔に対して締結することにより前記周辺装置を前記筺体に対して固定するものであり、
前記周辺装置が前記筺体上に設置されて該筺体とともに前記締結部材によって締結されると、前記周辺装置の導電体と前記筺体の導電体とが前記締結部材を経由して導通されることを特徴とする請求項１０に記載の処理装置。
【発明の詳細な説明】
【技術分野】
【０００１】
本発明は、画像形成装置及び処理装置に関する。
【背景技術】
【０００２】
画像データに基づいて画像形成を行う従来の画像形成装置において、画像形成装置内に像担持体を有する画像形成部を備え、画像形成装置の筺体上部に操作部などの周辺装置を設けて、画像形成装置の制御部と通信を行ってこの通信結果に基づいて各種動作を行うものが知られている。
【０００３】
また、このような周辺装置は、制御基板などのハードウェアモジュールを備え、このハードウェアモジュールはノイズの発生源となっており、このノイズの外部への放出を抑制するために、様々な対策が取られている。例えば、操作パネルのパネル基盤と弾性金属部材とを接続して構成された操作パネルを装置本体に取り付けたときに、構造部材と導通させるようにして簡単で確実に装置本体に電気的接地を行うようにした画像形成装置（特許文献１）や、一端が軸支されて可動する操作パネルの電気部品の接地用導電部材を信号線とは別に設けるようにした画像形成装置（特許文献２）が提案されている。
【先行技術文献】
【特許文献】
【０００４】
【特許文献１】特開２００３−８０７９８号公報
【特許文献２】特開２００３−１９８４６号公報
【発明の概要】
【発明が解決しようとする課題】
【０００５】
ところで、近年、画像形成装置は、給紙装置や後処理装置などのオプション装置（処理装置）が連設されて大型化される傾向がある。このような場合には、操作部などの周辺装置が自由な位置に設置できるとすれば、例えば、ユーザの作業する位置に応じて周辺装置を移動させ、ユーザの作業とともにこの周辺装置を使用することができるので大変便利である。
【０００６】
しかしながら、上記特許文献１に記載の画像形成装置は、装置本体に対して固定的に設置される操作パネルと装置本体との導通を図るための技術であり、操作パネルを自由に移動させることについては全く考慮されていないものである。
また、上記特許文献２に記載の画像形成装置においても、本体における限られた範囲内で可動する操作パネルと本体との導通を図るための技術であり、操作パネルを自由に移動させることについては全く考慮されていない。
【０００７】
本発明の課題は、ユーザの利便性を向上させるとともに、有効なノイズ対策を施すことである。
【課題を解決するための手段】
【０００８】
以上の課題を解決するため、請求項１に記載の発明は、用紙に画像を形成する画像形成装置において、
前記用紙に対して処理行うための装置を収容する筺体と、前記筺体に収容された装置の制御を行うための制御回路と、を有する本体部と、
前記本体部とは別体であって、電気部品が搭載されたハードウェアモジュールを有して前記制御回路と通信可能に接続されるとともに、前記筺体に対して着脱可能に設けられる周辺装置と、
を備え、
前記周辺装置は、前記筺体に対する設置位置が変更可能であって、
前記筺体及び前記周辺装置は、それぞれ導電体を有するとともに、前記筺体の導電体が接地され、
前記周辺装置が前記筺体に対して設置されたとき、前記筺体の導電体と前記周辺装置の導電体とが導通されるようにしたことを特徴とする。
【０００９】
請求項２に記載の発明は、請求項１に記載の画像形成装置において、
前記筺体は、前記周辺装置を設置するための複数の設置部を有し、
前記周辺装置の導電体は、前記周辺装置が前記複数の設置部の何れかに対して設置されたときに、前記筺体の導電体と導通されるようにしたことを特徴とする。
【００１０】
請求項３に記載の発明は、請求項２に記載の画像形成装置において、
前記周辺装置を前記設置部に対して位置決めするための位置決め機構を備えたことを特徴とする。
【００１１】
請求項４に記載の発明は、請求項１〜３の何れか一項に記載の画像形成装置において、
前記周辺装置を設置した位置にて前記筺体に対して固定するための固定機構を備えたことを特徴とする。
【００１２】
請求項５に記載の発明は、請求項４に記載の画像形成装置において、
前記固定機構は、導電性材料を含んで構成された締結部材及び受孔を有して構成されるとともに、前記受孔が前記筺体に設けられて、前記締結部材を前記周辺装置の一部を貫通させて前記受孔に対して締結することにより前記周辺装置を前記筺体に対して固定するものであり、
前記周辺装置の導電体は、前記周辺装置が前記筺体上に設置されて該筺体とともに前記締結部材によって締結されると、前記締結部材を経由して前記筺体の導電体と導通されることを特徴とする。
【００１３】
請求項６に記載の発明は、請求項１〜５の何れか一項に記載の画像形成装置において、
前記ハードウェアモジュールのグランド部と前記周辺装置の導電体とを導通させたことを特徴とする。
【００１４】
請求項７に記載の発明は、用紙に画像を形成する画像形成装置に接続され、前記画像形成装置による画像形成に係る用紙に対して所定の処理を行う処理装置において、
前記用紙に対して処理行うための装置を収容するとともに、接地された導電体を有する筺体を備え、
電気部品が搭載されたハードウェアモジュールを有して前記画像形成装置と通信可能に接続され、前記筺体に対して着脱可能であるとともに、前記筺体に対する設置位置が変更可能な、導電体を有する周辺装置が前記筺体に対して設置されたとき、前記筺体の導電体と前記周辺装置の導電体とが導通されるようにしたことを特徴とする。
【００１５】
請求項８に記載の発明は、請求項７に記載の処理装置において、
前記筺体は、前記周辺装置を設置するための複数の設置部を有し、
前記周辺装置が前記複数の設置部の何れかに対して設置されたときに、前記周辺装置の導電体と前記筺体の導電体とが導通されるようにしたことを特徴とする。
【００１６】
請求項９に記載の発明は、請求項８に記載の処理装置において、
前記周辺装置を前記設置部に対して位置決めするための位置決め機構を備えたことを特徴とする。
【００１７】
請求項１０に記載の発明は、請求項７〜９の何れか一項に記載の処理装置において、
前記周辺装置を設置した位置にて前記筺体に対して固定するための固定機構を備えたことを特徴とする。
【００１８】
請求項１１に記載の発明は、請求項１０に記載の処理装置において、
前記固定機構は、導電性材料を含んで構成された締結部材及び受孔を有して構成されるとともに、前記受孔が前記筺体に設けられて、前記締結部材を前記周辺装置の一部を貫通させて前記受孔に対して締結することにより前記周辺装置を前記筺体に対して固定するものであり、
前記周辺装置が前記筺体上に設置されて該筺体とともに前記締結部材によって締結されると、前記周辺装置の導電体と前記筺体の導電体とが前記締結部材を経由して導通されることを特徴とする。
【発明の効果】
【００１９】
本発明によれば、ユーザの利便性が向上するとともに、有効なノイズ対策を施すことができる。
【図面の簡単な説明】
【００２０】
【図１】画像形成システムの断面構成を模式的に示す図である。
【図２】画像形成システムの機能的構成を示すブロック図である。
【図３】操作ユニットの機能的構成を示すブロック図である。
【図４】画像形成システムにおける操作ユニットの取付箇所について説明する図である。
【図５】操作ユニットの画像形成装置本体に取り付けられた状態における部分的断面を表す図である。
【図６】図５の操作ユニットのＡ−Ａ断面を表す断面図である。
【図７】位置決め機構の別の態様について説明する図である。
【図８】位置決め機構の別の態様について説明する図である。
【図９】固定機構の別の態様について説明する図である。
【図１０】位置決め機構及び固定機構の別の態様について説明する図である。
【図１１】図１０におけるＢ−Ｂ断面を表す部分断面図である。
【図１２】位置決め機構及び固定機構の別の態様について説明する図である。
【図１３】位置決め機構及び固定機構の別の態様について説明する図である。
【図１４】位置決め機構及び固定機構の別の態様について説明する図である。
【図１５】別の態様に係るオプション装置の機能的構成を示すブロック図である。
【図１６】従来の画像形成システムの断面構成を模式的に示す図である。
【発明を実施するための形態】
【００２１】
以下、本発明の実施の形態について図面を参照しながら説明する。なお、発明の範囲は図示例に限定されない。
また、本発明の実施の形態では、構成する全ての装置全体として画像形成システムと称しているが、本発明において画像形成装置とは、画像形成装置本体、または、画像形成装置本体と他のオプション装置とを含めた形態の何れをも含むものである。また、本発明において処理装置とは、１のオプション装置からなる形態及び２以上のオプション装置を組み合わせた形態の何れをも含むものである。
【００２２】
図１に、本発明の実施の形態における画像形成システム１００の断面構成を模式的に示す。図２に、本発明の実施の形態における画像形成システム１００の機能構成例を示す。
【００２３】
図１に示すように、画像形成システム１００は、例えば、画像形成装置本体１とオプション装置２〜７とを備えて構成され、これらは連設して配置されている。
そして、画像形成システム１００は、図２に示すように、画像形成装置本体１とオプション装置２〜７とが、例えば、シリアル通信によりデータ送受信可能に接続されて構成されている。また、画像形成装置本体１は、図示しないＬＡＮ（Local Area Network）等の通信ネットワークを介してホストコンピュータとデータ送受信可能に接続されている。
【００２４】
画像形成装置本体１は、例えば、図１及び図２に示すように、本体部１Ａ及び操作ユニット１３を備えて構成されている。本体部１Ａは、制御部１１及び画像形成部１５を備えている。また、本体部１Ａは、筺体１ａを備えており、制御部１１及び画像形成部１５等を収容している。
【００２５】
筺体１ａは、方形状に折曲形成された導電性金属の箱体によって構成された筺体本体部１ｂと、筺体本体部１ｂの外面を被覆する樹脂製の筺体被覆部１ｃとを備えている（図６参照）。
筺体本体部１ｂは、アース線Ｇと接続されており、接地されている。
なお、筺体本体部１ｂは、導電性金属によって構成されているが、導電性を有する材料であれば何れのものでも適用可能であり、例えば、銀繊維やカーボン等の導電性材料が混在された樹脂によって構成するようにしてもよい。また、この場合、筺体本体部１ｂと筺体被覆部１ｃとを一体に形成することも可能である。また、筺体被覆部１ｃを備えない構成としてもよい。また、筺体１ａの一部にのみ導電性金属を設けるようにしてもよい。
また、本実施の形態の画像形成装置本体１の本体部１Ａは、上述の通り、１つの筺体を備えて構成されているが、２以上の筺体を備えて構成されていてもよく、また、後述する、他のオプション装置２〜７の筺体の一部又は全てをも含んだものとすることも可能である。
【００２６】
制御部１１は、制御回路の一部を構成する主制御基板１１ａを備え、画像形成部１５を構成する検出スイッチやアクチュエータ（図示しない）と接続されている。ここで、制御回路には、主制御基板１１ａなどの基板のみによって構成されるものや、基板を含まずに構成されるものも含まれる。
制御部１１は、画像形成部１５の検出スイッチからの検出信号や操作ユニット１３からの操作信号に基づき、画像形成部１５のアクチュエータを駆動して用紙に画像を形成する制御を行うとともに、オプション装置２〜７に各種動作を行わせるための制御指令データを送信する。
【００２７】
主制御基板１１ａは、例えば、図示しないＣＰＵ（Central Processing Unit）やメモリ等の電気部品が搭載されている。また、主制御基板１１ａは、無線通信回路１１ｂを備えており、無線Ｗを介して操作ユニット１３と通信可能に接続されている。
本実施の形態における主制御基板１１ａは、制御部１１におけるＨＤＤ（Hard Disc Drive）等の他の装置とともに、制御部１１による制御を行うための回路を構成している。
【００２８】
画像形成部１５は、例えば、図示を省略するが、感光体ドラム、帯電部、ＬＤ（Laser Diode）、現像部、転写部、クリーニング部、定着部、搬送ローラ、搬送ベルト等を備えて構成され、制御部１１からの制御信号に従って各部を駆動し、電子写真方式により用紙に画像を形成する。この画像形成部１５や、画像形成部１５を構成する、感光体ドラム、帯電部、ＬＤ、現像部、転写部、クリーニング部、定着部、搬送ローラ、搬送ベルト等は、画像形成に係る用紙に対して所定の処理を行うための装置の一例である。
【００２９】
操作ユニット１３は、画像形成装置本体１の筺体１ａ上面に設置されている。また、操作ユニット１３は、後述するように、画像形成装置本体１やオプション装置２〜７に対して着脱自在に構成されるとともに、画像形成装置本体１の制御部１１と無線通信可能に構成されている。そのため、操作ユニット１３は、例えば、図１に示されるように、ユーザによって操作ユニット１３の設置位置を自由に選択することが可能となっている。
そして、操作ユニット１３は、図３に示すように、例えば、操作制御部３０１、操作部３０２、液晶パネル３０３、液晶ドライバ基板３０３ａ，３０３ｂ等を備えて構成されている。
【００３０】
操作制御部３０１は、例えば、基板上に１又は複数の電気部品が搭載された制御基板によって構成されており、操作制御回路３０１ａ、無線通信回路３０１ｂ、画像処理回路３０１ｃ、Ｉ／Ｆ（Interface）３０１ｄ、グランド出力部３０１ｅ等が備えられている。
【００３１】
操作制御回路３０１ａは、ＣＰＵ、ＲＯＭ（Read Only Memory）及びＲＡＭ（Random Access Memory）等によって構成され、操作部３０２からの操作信号や無線通信回路３０１ｂによって受信した制御部１１からの制御信号に基づいて、液晶パネル３０３への画像表示制御を行う。また、操作制御回路３０１ａは、操作部３０２からの操作信号に基づいて、無線通信回路３０１ｂによる制御部１１への操作信号の送信を制御する。
【００３２】
画像処理回路３０１ｃは、例えば、画像プロセッサ（図示しない）を備えており、操作制御回路３０１ａからの制御信号を受信すると、液晶パネル３０３に所定の画像を表示するための画像信号を生成し、液晶ドライバ基板３０３ａ，３０３ｂに出力する。
【００３３】
Ｉ／Ｆ３０１ｄは、操作部３０２からの操作信号を受け付けて、操作制御回路３０１ａに出力するものである。
【００３４】
グランド出力部３０１ｅは、操作ユニット１３上に構成されるグランド線を流れる電流を取り出すためのものであり、アース線３０１ｆが接続されている。このアース線３０１ｆは、後述するように、回動部材本体部３１１に接続され、この回動部材本体部３１１を経由して接地されるように構成されている。
【００３５】
操作部３０２は、液晶パネル３０３の表示画面上に透明電極を格子状に配置した感圧式（抵抗膜圧式）のタッチパネルにより構成されている。タッチパネルは、手指やタッチペン等で押下された力点のＸＹ座標を電圧値で検出し、検出された位置信号を操作信号として操作制御部３０１に出力する。また、操作部３０２は、テンキー群、コピー動作を指示するための「コピー」ボタン、コピー等の画像形成動作の停止を指示するための「ストップ」ボタン、くるみ製本モードに関する設定を行うための操作画面の表示を指示するための「くるみ製本モード設定」ボタン等の各種操作ボタンを備え、ボタン操作による操作信号を操作制御部３０１に出力する。ここで、くるみ製本モードは、複数枚の画像形成済みの用紙を整合して糊付けし表表紙及び裏表紙でくるむことにより冊子を作成するモードである。
【００３６】
液晶パネル３０３は、例えば、ＬＣＤ（Liquid Crystal Display）により構成され、液晶ドライバ基板３０３ａ，３０３ｂに接続されている。
液晶ドライバ基板３０３ａ，３０３ｂは、基板上に液晶ドライバ（図示しない）が配置されて構成されている。液晶ドライバ基板３０３ａ，３０３ｂは、この液晶ドライバを駆動して液晶パネル３０３の表示画面上に画像の表示を行わせる。
以上のように構成された液晶パネル３０３及び液晶ドライバ基板３０３ａ，３０３ｂによれば、液晶ドライバ基板３０３ａ，３０３ｂが画像処理回路３０１ｃからの画像信号を受信すると、液晶ドライバが駆動されて液晶パネル３０３の表示画面上に画像が表示される。
なお、本実施の形態では、画像表示を行うものとして液晶パネルを用いたが、他の画像表示装置を用いてもよく、例えば、ＣＲＴ（Cathode Ray Tube）ディスプレイ、ＥＬ（Electro Luminescence）ディスプレイ、プラズマディスプレイ等が適用できる。
【００３７】
本実施の形態の画像形成システム１００では、画像形成装置本体１の一側方に、オプション装置（処理装置）として第１給紙装置２及び第２給紙装置３が連設され、他側方に、第２定着ユニット４、中継ユニット５、第１後処理オプション装置６及び第２後処理オプション装置７が連設されている。
【００３８】
第１給紙装置２は、筺体２ａを備えており、筺体２ａの上面にＡＤＦ（Auto Document Feeder）２１を設ける一方、スキャナ２２及び給紙ユニット２３等を筺体２ａに収容して備えている。このように構成された第１給紙装置２は、ＡＤＦ２１により自動給送される原稿又はプラテンガラス上に載置される原稿の画像をスキャナ２２にて読み取って画像形成装置本体１で画像形成を行うための画像データを取得する。そして、第１給紙装置２は、給紙ユニット２３により、画像形成装置本体１に所定の用紙の給紙を行う。この給紙ユニット２３は、画像形成に係る用紙に対して所定の処理を行うための装置の一例である。ここで、第１給紙装置２に備えられた各種装置については、第１給紙装置２に制御回路を設けて、この制御回路によって制御されるようにしてもよいし、第１給紙装置２に制御回路を設けず、画像形成装置本体１の制御部１１によって直接制御されるようにしてもよい。
なお、筺体２ａの形態及び接地構造については、画像形成装置本体１と同様であるため、説明を省略する。
【００３９】
第２給紙装置３は、筺体３ａを備えており、給紙ユニット３１等を筺体３ａに収容して備えている。このように構成された第２給紙装置３は、給紙ユニット３１により、画像形成装置本体１に所定の用紙の給紙を行う。この給紙ユニット３１は、画像形成に係る用紙に対して所定の処理を行うための装置の一例である。ここで、第２給紙装置３に備えられた各種装置については、第２給紙装置３に制御回路を設けて、この制御回路によって制御されるようにしてもよいし、第２給紙装置３に制御回路を設けず、画像形成装置本体１の制御部１１によって直接制御されるようにしてもよい。
なお、筺体３ａの形態及び接地構造については、画像形成装置本体１と同様であるため、説明を省略する。
【００４０】
第２定着ユニット４は、筺体４ａを備えており、画像形成装置本体１によって画像が形成され、定着部により定着が行われた用紙に対してさらに定着処理を行うための第２定着部４１等を筺体４ａに収容して備えている。この第２定着部４１は、画像形成に係る用紙に対して所定の処理を行うための装置の一例である。ここで、第２定着ユニット４に備えられた各種装置については、第２定着ユニット４に制御回路を設けて、この制御回路によって制御されるようにしてもよいし、第２定着ユニット４に制御回路を設けず、画像形成装置本体１の制御部１１によって直接制御されるようにしてもよい。
なお、筺体４ａの形態及び接地構造については、画像形成装置本体１と同様であるため、説明を省略する。
【００４１】
中継ユニット５は、筺体５ａを備えており、例えば、画像形成装置本体１によって画像が形成された用紙を一時的に複数枚ストックするストック装置５１等を筺体５ａに収容して備えている。このストック装置５１は、画像形成に係る用紙に対して所定の処理を行うための装置の一例である。ここで、中継ユニット５に備えられた各種装置については、中継ユニット５に制御回路を設けて、この制御回路によって制御されるようにしてもよいし、中継ユニット５に制御回路を設けず、画像形成装置本体１の制御部１１によって直接制御されるようにしてもよい。
なお、筺体５ａの形態及び接地構造については、画像形成装置本体１と同様であるため、説明を省略する。
【００４２】
第１後処理オプション装置６は、筺体６ａを備えており、画像形成装置本体１によって画像が形成された用紙に折り処理やパンチ処理を行う第１後処理装置６１等を筺体６ａに収容して備えている。この第１後処理装置６１は、画像形成に係る用紙に対して所定の処理を行うための装置の一例である。ここで、第１後処理オプション装置６に備えられた各種装置については、第１後処理オプション装置６に制御回路を設けて、この制御回路によって制御されるようにしてもよいし、第１後処理オプション装置６に制御回路を設けず、画像形成装置本体１の制御部１１によって直接制御されるようにしてもよい。
なお、筺体６ａの形態及び接地構造については、画像形成装置本体１と同様であるため、説明を省略する。
【００４３】
第２後処理オプション装置７は、筺体７ａを備えており、画像形成装置本体１によって画像が形成された複数の用紙について裁断、糊付け等して製本を行う第２後処理装置７１等を筺体７ａに収容して備えている。この第２後処理装置７１は、画像形成に係る用紙に対して所定の処理を行うための装置の一例である。ここで、第２後処理オプション装置７に備えられた各種装置については、第２後処理オプション装置７に制御回路を設けて、この制御回路によって制御されるようにしてもよいし、第２後処理オプション装置７に制御回路を設けず、画像形成装置本体１の制御部１１によって直接制御されるようにしてもよい。
なお、筺体７ａの形態及び接地構造については、画像形成装置本体１と同様であるため、説明を省略する。
【００４４】
次に、図４〜図６を参照しながら、操作ユニット１３を画像形成装置本体１及びオプション装置２〜７の筺体１ａ〜７ａに対して着脱可能とする着脱機構の構成例について説明する。
【００４５】
本実施の形態において、操作ユニット１３は、図４に示すように、画像形成装置本体１、第２給紙装置３、第２定着ユニット４及び第２後処理オプション装置７の筺体（１ａ，３ａ，４ａ，７ａ）の各上面に設けられた凹部（１ｄ，３ｄ，４ｄ，７ｄ）に対して着脱可能に載置することができる。
なお、第１給紙装置２、中継ユニット５及び第１後処理オプション装置６については、筺体（２ａ，５ａ，６ａ）の上面において十分な設置スペースを設けて操作ユニット１３を載置可能に構成してもよい。また、画像形成装置本体１及びオプション装置２〜７の筺体１ａ〜７ａの各上面全てに操作ユニット１３を載置可能に構成してもよく、また、筺体１ａ〜７ａの各上面のうちの一部にのみ操作ユニット１３を載置可能に構成してもよい。また、画像形成装置本体１及びオプション装置２〜７の各装置における操作ユニット１３の載置可能箇所を２以上設けるようにしてもよい。
【００４６】
ここで、操作ユニット１３の構造について説明する。操作ユニット１３は、図５に示すように、操作制御部３０１や液晶パネル３０３等が収容された操作部本体３１０を備えている。そして、操作部本体３１０の背面に、導電性金属により形成された回動部材本体部３１１が操作部本体３１０に対して下り傾斜をなして突設されている。この回動部材本体部３１１は、例えば、断面コ字状に折曲形成され、後端に向かうに従って径が小さくなるように構成されている。そして、この回動部材本体部３１１には、操作制御部３０１のグランド出力部３０１ｅに一端が接続されたアース線３０１ｆの他端が固着され、操作制御部３０１や液晶パネル３０３等のグランド線と回動部材本体部３１１とが導通される。そして、回動部材本体部３１１の外周を被覆するように、回動部材カバー部３１１ａが操作部本体３１０の背面に取り付けられている。この回動部材カバー部３１１ａは、樹脂により形成されるとともに、装飾のために所定の表面処理が施されている。
【００４７】
回動部材本体部３１１は、導電性金属により形成された回動軸本体部３１２に対してヒンジ構造によりその端部が軸支され、操作部本体３１０とともに上下方向に所定角度の範囲で回動可能に構成されている。回動軸本体部３１２はトルクリミッタを備えており、所定のトルク以上のトルクがかからない限り回動部材本体部３１１が回動しないように構成されている。なお、回動部材本体部３１１の不用意な回動動作を抑制するためにねじを設け、ねじを締めつけることで、回動部材本体部３１１をより確実に固定できるようにしてもよい。
回動軸本体部３１２の外周には、回動軸本体部３１２を被覆する樹脂製の回動軸カバー部３１２ａが設けられている。この回動軸カバー部３１２ａは、後述する支柱カバー部３１３ａに組み付けられ、回動部材本体部３１１の可動範囲を確保するために、上方が一部切り欠かれている。
【００４８】
回動軸本体部３１２の下部には、支柱本体部３１３が一体的に組み付けられて設けられている。支柱本体部３１３は、導電性金属によって形成されるとともに、断面コ字状に折曲形成され、上端から下端に向かうに従って径が大きくなるように構成されている。そして、支柱本体部３１３の下端部には、台座部３１４が取り付けられている。より具体的には、支柱本体部３１３の下端部が、台座部３１４を構成する導電性金属によって形成された台座本体部３１４ａに、例えば、ねじ止め等により固着されている。
支柱本体部３１３の外周には、支柱本体部３１３を被覆する樹脂製の支柱カバー部３１３ａが設けられている。
【００４９】
台座部３１４は、樹脂製の台座被覆部３１４ｂにより外周が覆われた台座本体部３１４ａを備えている。そして、台座部３１４の中央後部には、ネジ３１５のネジ本体部３１５ａが貫通するための貫通穴３１４ｃが貫設されている。
【００５０】
以上のように構成された操作ユニット１３は、台座部３１４が画像形成装置本体１やオプション装置（３，４，７）の筺体（１ａ，３ａ，４ａ，７ａ）上の凹部（１ｄ，３ｄ，４ｄ，７ｄ）に収容されることにより、画像形成装置本体１やオプション装置（３，４，７）の筺体（１ａ，３ａ，４ａ，７ａ）上に載置される。ここで、各凹部（１ｄ，３ｄ，４ｄ，７ｄ）は、台座部３１４の外形寸法よりも僅かに大きく形成されており、台座部３１４が凹部（１ｄ，３ｄ，４ｄ，７ｄ）内に位置決めされるように構成されている。また、各凹部（１ｄ，３ｄ，４ｄ，７ｄ）の深さは、台座部３１４の厚み寸法と略同じであり、台座部３１４が収容されると、筺体の上面と台座部３１４の上面とが面一となる。そして、台座部３１４は、ネジ３１５を用いて筺体のネジ受部（１ｅ，３ｅ，４ｅ，７ｅ）に対して螺着することにより、筺体（１ａ，３ａ，４ａ，７ａ）に対して固定される。
【００５１】
なお、本実施の形態における回動部材本体部３１１、回動軸本体部３１２、支柱本体部３１３及び台座本体部３１４ａは、何れも導電性金属によって構成されたものであるが、他の導電性材料によって構成するようにしてもよく、例えば、カーボンや銀繊維などの導電性材料が混在された樹脂などを適用することもできる。
【００５２】
次に、操作ユニット１３の設置態様について説明する。なお、操作ユニット１３の画像形成装置本体１及びオプション装置（３，４，７）への設置態様については、何れも共通であるため、以下、操作ユニット１３の画像形成装置本体１への設置態様について説明し、他のオプション装置への操作ユニット１３の設置態様についての説明は省略する。
【００５３】
操作ユニット１３は、上述したネジ３１５を含む所定の固定機構により画像形成装置本体１の筺体１ａに固定される。
操作ユニット１３の筺体１ａに対する固定機構は、図６に示すように、ネジ３１５及び筺体１ａに開設されたネジ受部１ｅ等により構成されている。
【００５４】
ネジ３１５は、ネジ本体部３１５ａと把持部３１５ｄとを備えて構成されている。ネジ本体部３１５ａは、螺旋状に切削加工されたネジ部３１５ｂとネジ頭部３１５ｃとの一体形成により構成されている。ネジ頭部３１５ｃの上端部には、把持部３１５ｄが設けられ、ユーザによってネジ３１５の回転操作を容易ならしめている。また、ネジ本体部３１５ａは、導電性金属により形成されるとともに、把持部３１５ｄは、樹脂により形成されている。
【００５５】
次に、ネジ３１５による操作ユニット１３の筺体１ａへの固定方法を説明する。
【００５６】
操作ユニット１３の台座部３１４を凹部１ｄに収容した後、ネジ３１５のネジ本体部３１５ａを、導電性金属により形成されたワッシャー３１５ｅに挿通させてから貫通穴３１４ｃに挿入する。ここで、貫通穴３１４ｃは、台座本体部３１４ａの開設穴の径よりも台座被覆部３１４ｂの開設穴の径を大きく形成してなり、台座本体部３１４ａの一部が上面に露出されるようになっている。また、ワッシャー３１５ｅは、肉薄で、中央に挿通穴が開設されてドーナツ状に形成されている。このワッシャー３１５ｅの挿通穴の直径は、ネジ本体部３１５ａのネジ部３１５ｂの径よりも大きく、ネジ頭部３１５ｃの径よりも小さい。そして、ネジ３１５を回転させてネジ部３１５ｂをネジ受部１ｅに螺合させる。この螺合動作を続けると、ネジ頭部３１５ｃがワッシャー３１５ｅを介して台座本体部３１４ａを押圧する。すなわち、台座本体部３１４ａは、ワッシャー３１５ｅ及びネジ本体部３１５ａを介して筺体本体部１ｂと導通する。
【００５７】
このように、回動部材本体部３１１、回動軸本体部３１２、支柱本体部３１３及び台座本体部３１４ａは互いに接触して構成されている。そのため、これらは、操作制御部３０１や液晶パネル３０３等のグランド部と導通し、台座本体部３１４ａは、ネジ３１５を介して筺体本体部１ｂと導通する。すなわち、上述した通り、筺体本体部１ｂがアース線Ｇにより接地されているので、操作制御部３０１や液晶パネル３０３等のグランド部を流れる電流は、アース線Ｇを介して接地される。その結果、例えば、操作制御回路３０１ａや液晶パネル３０３等の動作によってＥＭＩ（Electro-Magnetic Interference：電磁妨害）ノイズ等のノイズが発生しても当該ノイズがグランド出力部３０１ｅから出力されてアース線Ｇより地中に流れるので、操作ユニット１３の外部へのノイズの放出を効果的に抑制することができる。また、操作ユニット１３外から飛来する静電気ノイズを受けても同様にして地中に流すことができるので、静電気ノイズ耐性にも優れる。さらに、ネジ３１５により操作ユニット１３を画像形成装置本体１やオプション装置２〜７に固定することにより、操作ユニット１３の設置をより安定なものとすることができるとともに、操作ユニット１３と、操作ユニット１３が載置される装置との間の接地が確実なものとなり、ノイズの放出をより効果的に抑制することができる。
【００５８】
また、図１６に示されるように、従来の画像形成システム８００では、例えば、操作ユニット８１０は、画像形成装置本体８０１の最上面に固定して設置されている。そのため、例えば、ユーザが第２給紙装置８０２において紙を積載する作業を行いながら、紙種などについて操作ユニット８１０を操作して設定する場合には、操作ユニット８１０と第２給紙装置８０２との間を往復しなければならないため、作業効率の低下を招く。また、例えば、操作ユニット８１０の表示画面上にメンテナンスのためのガイドが表示されても、ユーザの作業位置によっては操作ユニット８１０の表示内容が視認できず、交換部品の対象やメンテナンスの内容を確認しながら作業することが困難である。
一方、本実施の形態では、上述したように、操作ユニット１３が着脱可能に構成され、また、操作ユニット１３が画像形成装置本体１やオプション装置２〜７におけるユーザの任意位置にて自由に設置することができるように構成されている。そのため、操作ユニット１３をユーザの作業位置の近くに設置して、各種設定あるいは交換部品の対象やメンテナンスの内容の確認を容易に行うことができ、ユーザの利便性が向上し、作業効率が向上する。
【００５９】
以上説明したように、本発明の実施の形態によれば、本体部１Ａは、用紙に対して処理を行う画像形成部１５等の装置を収容する筺体１ａ〜７ａと、画像形成部１５等の装置の制御を行うための主制御基板１１ａと、を備えている。そして、操作ユニット１３は、本体部１Ａとは別体であって、電気部品が搭載された操作制御部３０１あるいは液晶パネル３０３等のハードウェアモジュールを有して主制御基板１１ａと通信可能に接続されるとともに、筺体１ａ〜７ａに対して着脱可能に設けられる。そして、操作ユニット１３は、筺体１ａ〜７ａに対する設置位置が変更可能に構成されている。そして、筺体１ａ〜７ａ及び操作ユニット１３は、それぞれ導電体を有するとともに、筺体１ａ〜７ａの導電体（筺体本体部１ｂ〜７ｂ）が接地される。そして、筺体本体部１ｂ〜７ｂと操作ユニット１３の導電体は、操作ユニット１３が筺体１ａ〜７ａに対して設置されたときに導通される。その結果、操作ユニットをユーザの作業位置の近くに設置して、各種設定あるいは交換部品の対象やメンテナンスの内容の確認を容易に行うことができ、ユーザの利便性が向上する。また、操作ユニットの設置位置変更の可能化に伴う接地の問題が解消され、操作ユニットにおけるノイズを効率よく逃がすことができ、有効なノイズ対策が可能となる。
【００６０】
また、本発明の実施の形態によれば、筺体１ａ〜７ａは、操作ユニット１３を設置するための複数の凹部１ｄ，３ｄ，４ｄ，７ｄを有している。そして、操作ユニット１３の導電体は、操作ユニット１３が複数の凹部１ｄ，３ｄ，４ｄ，７ｄの何れかに対して設置されたときに、筺体本体部１ｂ〜７ｂと導通される。その結果、設計者によって設置が望まれる複数の位置に操作ユニットを設置させることができる。また、操作ユニットの設置の安定性の向上を図ることもできる。
【００６１】
また、本発明の実施形態によれば、操作ユニット１３を凹部１ｄ，３ｄ，４ｄ，７ｄに対して位置決めするための位置決め機構を備えている。その結果、設計者によって設置が望まれる位置に操作ユニットを案内させることができるので、操作ユニットの取り付けを容易に行うことができる。
【００６２】
また、本発明の実施形態によれば、操作ユニット１３を取り付けた位置にて筺体１ａ〜７ａに対して固定するための固定機構を備えたので、操作ユニットの設置の安定性を向上させることができる。
【００６３】
また、本発明の実施形態によれば、固定機構は、導電性材料を含んで構成されたネジ３１５及びネジ受部１ｅ，３ｅ，４ｅ，７ｅを有して構成されるとともに、ネジ受部１ｅ，３ｅ，４ｅ，７ｅが筺体１ａ〜７ａに設けられて、ネジ３１５を操作ユニット１３の一部を貫通させてネジ受部１ｅ，３ｅ，４ｅ，７ｅに対して締結することにより操作ユニット１３を筺体１ａ〜７ａに固定するものである。そして、操作ユニット１３の導電体は、操作ユニット１３が筺体１ａ〜７ａ上に設置されて筺体１ａ〜７ａとともにネジ３１５によって締結されると、ネジ３１５を経由して筺体本体部１ｂ〜７ｂと導通される。その結果、操作ユニットの固定を容易に行うことができる。
【００６４】
また、本発明の実施形態によれば、操作制御部３０１あるいは液晶パネル３０３等のハードウェアモジュールのグランド部と操作ユニット１３の導電体とを導通させたので、操作ユニットにおけるノイズをより効率よく逃がすことができる。
【００６５】
また、本発明の実施形態によれば、筺体２ａ〜７ａは、画像形成に係る用紙に対して処理を行うための装置を収容する。そして、筺体２ａ〜７ａは、接地された筺体本体部２ｂ〜７ｂを備える。そして、電気部品が搭載された操作制御部３０１あるいは液晶パネル３０３等のハードウェアモジュールを有して画像形成装置本体１と通信可能に接続され、筺体２ａ〜７ａに対して着脱可能であるとともに、筺体２ａ〜７ａに対する設置位置が変更可能な、導電体を有する操作ユニット１３が筺体２ａ〜７ａに対して設置されたときに、筺体本体部２ｂ〜７ｂと操作ユニット１３の導電体とが導通される。その結果、操作ユニットをユーザの作業位置の近くに設置して、各種設定あるいは交換部品の対象やメンテナンスの内容の確認を容易に行うことができ、ユーザの利便性が向上する。また、操作ユニットの設置位置変更の可能化に伴う接地の問題が解消され、操作ユニットにおけるノイズを効率よく逃がすことができ、有効なノイズ対策が可能となる。
【００６６】
なお、本実施の形態における記述は、本発明に係る画像形成装置やオプション装置の一例であり、これに限定されるものではない。画像形成装置やオプション装置を構成する各機能部の細部構成及び細部動作に関しても適宜変更可能である。
【００６７】
また、本実施形態では、固定機構として導電性金属によって形成されたネジを用いたが、他の材料によって形成されたものを用いてもよく、例えば、導電性樹脂によって形成された固定ピンを適用することができる。この場合には、この固定ピンを台座部と筺体とに設けられて連通された貫通穴に挿入し、固定ピンの先端が貫通穴を貫通するとこの固定ピンの先端が弾性変形されて筺体の内周面に係止することにより、操作ユニットが筺体に固定されるような構成としてもよい。この場合、固定ピンを所定の力で引っ張ることで引き抜き可能に構成すると操作ユニットの着脱作業性が向上する。
【００６８】
また、本実施の形態では、筺体に設けられた凹部により操作ユニット１３の位置決めを行うようにしたが、他の構成により操作ユニット１３の位置決めを行うようにしてもよい。例えば、図７に示すように、筺体１ａの上面にＬ字状に形成されたリブ１ｆを台座部３１４の外周に合わせて複数立設し、これらにより操作ユニット１３の位置決めを行わせるようにしてもよい。なお、この例では、筺体本体部１ｂを上面に向けて一部を露出させるとともに、この筺体本体部１ｂの露出位置に対応させて、操作ユニット１３の台座本体部３１４ａを下面に向けて一部露出させている。そして、操作ユニット１３が筺体１ａに対して載置されると、筺体本体部１ｂと台座本体部３１４ａとが接触して導通される。筺体本体部１ｂと台座本体部３１４ａとの導通については、他の方法により実現することも可能である。
【００６９】
また、図８に示すように、操作ユニット１３の台座部３１４の下面の所定位置に複数の位置決めボス３１４ｄを下方に向けて突出させるとともに、筺体１ａの上面に、位置決めボス３１４ｄの設置位置に対応させてボス受孔１ｇを設けるようにしてもよい。この構成では、位置決めボス３１４ｄをボス受孔１ｇに嵌合させることにより、操作ユニット１３を位置決め設置させることができる。なお、この例では、位置決めボス３１４ｄを導電性材料により形成して台座本体部３１４ａと導通させるとともに、筺体本体部１ｂをボス受孔１ｇ内に露出させている。そして、操作ユニット１３が設置されたときに、位置決めボス３１４ｄと筺体本体部１ｄとが接触して導通される。筺体本体部１ｂと台座本体部３１４ａとの導通については、他の方法により実現することも勿論可能である。
【００７０】
また、本実施の形態では、ネジ３１５を用いて操作ユニット１３を筺体１ａに固定するようにしたが、他の構成により操作ユニット１３の固定を行うようにしてもよい。例えば、図９に示すように、操作ユニット１３の台座部３１４の下面の所定位置に磁石３１４ｅを設け、この磁石３１４ｅに対応して筺体１ａの上面にも磁石１ｈを設けて、互いに磁着させることにより、操作ユニット１３の固定を行わせるようにしてもよい。なお、この例においては、図７に示される例と同様の構成により、筺体本体部１ｂと台座本体部３１４ａとを導通させるようにしているが、他の方法により導通させることも勿論可能である。
【００７１】
また、図１０に示すように、操作ユニット１３の台座部３１４の下面の所定位置にＬ字状の複数の係合片３１４ｆを下方に向けて突出させるとともに、筺体１ａの上面に、係合片３１４ｆの設置位置に対応させて、Ｌ字状の係合溝１ｉを開設するようにしてもよい。この構成では、図１１に示すように、係合片３１４ｆを係合溝１ｉの開口部分に挿入させた後に、係合片３１４ｆと係合溝１ｉとが互いに係合する位置まで操作ユニット１３をスライドさせることにより、操作ユニット１３を位置決め及び固定させることができる。なお、この例では、係合片３１４ｆを導電性材料により形成して台座本体部３１４ａと導通させるとともに、筺体本体部１ｂを係合溝１ｉ内に露出させている。そして、操作ユニット１３が設置されたときに、係合片３１４ｆと筺体本体部１ｄとが接触して導通される。筺体本体部１ｂと台座本体部３１４ａとの導通については、他の方法により実現することも勿論可能である。
【００７２】
また、図１２に示すように、筺体１ａの上面に、前方及び中央に向けて開口された方形状の係止片１ｊを、その係止片１ｊの内部に操作ユニット１３の台座部３１４の隅部が収容されるよう、所定間隔をあけて複数突設するようにしてもよい。この構成では、操作ユニット１３を前方よりスライドさせ、台座部３１４の隅部を複数の嵌合片１ｊに嵌合させることにより、操作ユニット１３を位置決め及び固定させることができる。なお、筺体本体部１ｂと台座本体部３１４ａとを導通させる構成については、上述した何れかの方法を適宜採用することができる。
【００７３】
また、次のような構成を適用して操作ユニット１３の位置決め及び固定を行うことも可能である。すなわち、図１３に示すように、筺体１ａの凹部１ｄの底面両側端部の所定位置に、上方からの押圧により下方へ変位する複数の作動片１ｋが設けられるとともに、凹部１ｄの側面の所定位置に、作動片１ｋの位置に応じて凹部１ｄ内を進退する複数の抜け止め片１ｍが設けられている。そして、操作ユニット１３の台座部３１４が凹部１ｄに収容されると、図１４に示すように、台座部３１４の底面によって作動片１ｋが下方に押圧される。そして、公知のリンク機構により、作動片１ｋの動作に連動して抜け止め片１ｍが凹部１ｄ内に進入し、台座部３１４の上方への離脱が抑制される。すなわち、操作ユニット１３は、凹部１ｄによって位置決めされ、抜け止め片１ｍによって筺体１ａに固定される。そして、ユーザによって凹部１ｄの後方に設けられた解除ボタン１ｎが押下されると、公知のリンク機構によって、解除ボタン１ｎの押下に連動して抜け止め片１ｍが凹部１ｄ内より退出し、操作ユニット１３の取り外しが可能となる。なお、この例においては、図７に示される例と同様の構成により、筺体本体部１ｂと台座本体部３１４ａとを導通させるようにしているが、他の方法により導通させることも勿論可能である。
【００７４】
以上、図７〜図１４に示された構成は、画像形成装置本体１に適用した例について説明したが、オプション装置２〜７についても同様に適用することができることは言うまでもない。
【００７５】
また、本実施の形態では、操作ユニット１３は、画像形成装置本体１の制御部１１と無線通信可能に構成されているが、操作ユニット１３と画像形成装置本体１とを配線により接続し、有線による通信が可能に構成されていてもよい。この場合、配線の長さは、操作ユニット１３が何れのオプション装置２〜７に対しても設置ができる長さに設定することが好ましい。操作ユニット１３と画像形成装置本体１とを有線により通信を行う構成とした場合には、操作ユニット１３において発生したノイズが配線をアンテナとして外部に放出しやすくなるが、本発明を適用することにより、これを低減させることが可能となる。
【００７６】
また、操作ユニット１３は、画像形成装置本体１の他、オプション装置２〜７に対しても通信可能に構成されていてもよい。例えば、図１５に示す例では、第２後処理オプション装置７の筺体７ａ内には、第２後処理装置７１と、第２後処理装置７１を制御するための第２後処理制御部７２とが収容されている。そして、第２後処理制御部７２は、操作ユニット１３と無線Ｗを介して通信するための無線通信回路７２ｂを有する第２後処理制御基板７２ａを備えている。この場合、例えば、操作ユニット１３が第２後処理オプション装置７に対して設置されたときに、画像形成装置本体１の制御部１１あるいは第２後処理オプション装置７の第２後処理制御部７２において操作ユニット１３の設置を検出する等して自動的に又は操作ユニット１３による操作により、操作ユニット１３の通信対象を画像形成装置本体１の制御部１１から第２後処理制御部７２に切り替えるように構成することができる。この構成によれば、第２後処理オプション装置７のメンテナンス等に利用することができる。なお、上記構成は、他のオプション装置２〜６についても適用できることは勿論である。
【００７７】
また、本発明の実施の形態における周辺装置として操作ユニットを用いたが、着脱可能に構成され、画像形成装置本体の制御部と有線あるいは無線により通信可能であって、ハードウェアモジュールを有している他の電気的装置についても適用することができ、例えば、表示機能のみ有する表示ユニットや、ＵＳＢ（Universal Serial Bus）ポート等が適用可能である。
【００７８】
また、本実施の形態において、設置部を設けず、操作ユニット１３と画像形成装置本体１及びオプション装置２〜７との導通が確保可能であれば、操作パネルの設置個所を限定しないよう構成してもよい。
【００７９】
また、本実施の形態において、位置決め機構及び固定機構の何れか一方又は両方を設けない構成としてもよい。
【００８０】
また、本実施の形態において、操作制御部３０１のグランド出力部３０１ｅと回動部材本体部３１１とをアース線３０１ｆにて接続して構成したが、例えば、操作制御部３０１や液晶パネル３０３の背面側に、放出されるノイズを受けるための金属性のシールド板を設け、このシールド板と回動部材本体部３１１とを導通させるように構成してもよい。
【００８１】
また、本実施の形態において、ネジ３１５により、操作ユニット１３の導電体と筺体１ａ〜７ａの導電体とを導通させるようにしたが、アース線やその他の導電性材料を用いた部材により導通させるようにしてもよい。
【符号の説明】
【００８２】
１００  画像形成システム
１  画像形成装置本体
２  第１給紙装置（オプション装置）
３  第２給紙装置（オプション装置）
４  第２定着ユニット（オプション装置）
５  中継ユニット（オプション装置）
６  第１後処理オプション装置（オプション装置）
７  第２後処理オプション装置（オプション装置）
Ｇ  アース線
１Ａ  本体部
１ａ〜７ａ  筺体
１ｂ〜７ｂ  筺体本体部
１ｄ，３ｄ，４ｄ，７ｄ  凹部
１ｅ，３ｅ，４ｅ，７ｅ  ネジ受部
１１  制御部
１１ａ  主制御基板
１３  操作ユニット（周辺装置）
１５  画像形成部
３０１  操作制御部
３０１ｅ  グランド出力部
３０１ｆ  アース線
３０３  液晶パネル
３１０  操作部本体
３１１  回動部材本体部
３１２  回動軸本体部
３１３  支柱本体部
３１４  台座部
３１４ａ  台座本体部
３１５  ネジ
【図１】
2011175153.tif 000003
【図２】
2011175153.tif 000004
【図３】
2011175153.tif 000005
【図４】
2011175153.tif 000006
【図５】
2011175153.tif 000007
【図６】
2011175153.tif 000008
【図７】
2011175153.tif 000009
【図８】
2011175153.tif 000010
【図９】
2011175153.tif 000011
【図１０】
2011175153.tif 000012
【図１１】
2011175153.tif 000013
【図１２】
2011175153.tif 000014
【図１３】
2011175153.tif 000015
【図１４】
2011175153.tif 000016
【図１５】
2011175153.tif 000017
【図１６】
2011175153.tif 000018